(57)【要約】      （修正有）【課題】構成パーツ数が少なく簡便に使用できる、フロス系の補充が可能なデンタルフロスホルダーを提供する。【解決手段】デンタルフロスホルダーは、互いに可動な二つのアッセンブリーＡ、Ｂにより構成され、アッセンブリーには、ロール状に巻回されたフロス系の軸の開口部に差し込める受け軸Ｆが設けられる。さらに、アッセンブリーには、フロス系の導出案内手段としての案内溝Ｅと、フロス系の始端を保持するグリップＧと、フロス系を切断するカッターＨとが設けられる。【選択図】図１
0003175637.tif 000002
【実用新案登録請求の範囲】
【請求項１】
お互いに可動であり、ヒンジ等の機構を利用して連結されている場合もある、それぞれが一つもしくは複数の部品数により構成される二つのアッセンブリーにより構成されるデンタルフロスホルダーにおいて、
当該アッセンブリーのいずれかあるいは両方に、ロール状に巻回されたフロス糸の軸の開口部に差し込める受け軸が設けられ、当該受け軸に前記ロール状のフロス糸を取り付けることによりデンタルフロスホルダーに固定された状態にてフロス糸が繰り出し可能であり、上記アッセンブリーをお互いに押し付けることによりデンタルフロスホルダー構成部の一部がフロス糸のロールあるいはこれの軸や軸に固定された部品に接触、あるいは接触に加えて係合あるいは嵌合等によりフロス糸ロールが固定される機能を有し、
繰り出されたフロス糸の導出案内手段は上記アッセンブリーのいずれかもしくはその両方に刻設された案内溝により構成され、
フロス糸の張架部は当該フロスホルダーの、上記案内溝が刻設されたフロス糸保持用アームの先端から使用者の指先による加圧操作により二つのフロスホルダー構成アッセンブリーのそれぞれの一部がフロス糸を挟むことによりフロス糸の始端を保持するグリップが設けられた構成となしたことを特徴とするデンタルフロスホルダー。
【請求項２】
前記デンタルフロスホルダーの本体に使用済みフロス糸を切断するための専用フロス糸カッターを設けた請求項１に記載のデンタルフロスホルダー。
【考案の詳細な説明】
【技術分野】
【０００１】
本考案は、デンタルフロスホルダーの設計に関するもので、特にフロス糸の補充の際の簡便性、および構造の簡易化を図るための設計に関するものである。
【背景技術】
【０００２】
口内衛生を保つ手段として歯ブラシによる歯磨きに加えて他の道具の使用が広まっているが、そのうちの一つであるデンタルフロスについてはその有効性は認められるものの、その使用に当たっては細い糸を手の指に巻きつけて歯間に通して操作する必要があることから生じる不便利な点が存在する。それらの課題の解決を図った既存のフロスホルダーや糸ようじは使い捨て方式のものが多いが、消耗部分であるフロス糸のみを補充する構造を持つデンタルフロスホルダーと称されるものが、その利便性から普及し始めている。これらの従来のデンタルフロスホルダーは使用の際の機能を満たすための機構を構成するパーツ数が多く、商品として市場に提供される際のコスト高につながる可能性が存在した。又、使用者がフロス糸を補充する場合の手順に簡易化の余地を残すものである。
【先行技術文献】
【特許文献】
【０００３】
【特許文献１】公開特許広報  特許出願公開番号  特開平７−２７５２７０  公開実用新案広報  実用新案出願公開番号  実開平６−５８９２３
【考案の概要】
【考案が解決しようとする課題】
【０００４】
フロス糸の使用の不便さが解消されうるフロスホルダーの類は、例えば糸ようじのように使い捨て方式のものは消耗したフロス糸だけでなく道具そのものも使用後は処分されて無駄が多く、フロス糸の補充が可能なフロスホルダーについては本体とは別にフロス糸の収納および使用時の張力保持のためのロック機構を構成するために別パーツが少なくとも三つ以上見受けられ、部品点数増加に伴うコスト高につながる可能性がある。本考案はデンタルフロスホルダーの機能を有しながら構成パーツ数が少なく、且つ使用方法が簡便である設計を提供するものである。
【課題を解決するための手段】
【０００５】
本考案のデンタルフロスホルダーは相互に可動である二つのパーツあるいは二つのアッセンブリーにより構成される。上記アッセンブリーとは複数の部品により構成されているユニットを指す。操作性向上のためにこれらパーツ・アッセンブリー間はヒンジ等の機構により連結されている場合もある。フロス糸の補充はロール状のユニットごとに行われ、フロス糸が巻回されているロールの軸を上記アッセンブリーあるいはパーツのいずれかに設けられている受け軸に差し込まれて嵌められることにより行われる。使用の際にロール状となったフロス糸は始端部から繰り出されて歯間清掃に適した形状に保持され、且つその際に必要な張力を保つために上記のアッセンブリー間あるいはパーツ間によりフロス糸、あるいはフロス糸のロールの軸やその軸に固定された部品を挟んで固定することにより緩むことが防止される。使用後は実際に使用して消耗したフロス糸の部分のみがカッターを使用して切り離されて処分され、フロスホルダー本体は長期間複数回数使用されることにより使い捨てによる無駄も省かれる。補充のための操作についてもフロス糸のロールの軸をデンタルフロスホルダーの受け軸に差し込むだけという簡単な操作により使い勝手を向上させている。
【考案の効果】
【０００６】
本考案のデンタルフロスホルダーは歯間清掃の為のフロス糸の形状・張力の保持が本体を構成する二つの構成部によりフロス糸あるいはそれと共にフロス糸のロールの軸もしくはそれに固定されたパーツを挟み込むことにより固定され、製品の生産に関するパーツ点数の削減を図ることができ、コスト削減の可能性を有する。又、使用の際においてもフロス糸の補充がロール状のフロス糸を受け軸にはめてお互いに可動であるフロスホルダー構成部分により挟むだけという簡単な操作により行われることにより使用に際しての手順と操作の簡易化が図られている。
【図面の簡単な説明】
【０００７】
【図１】本考案のデンタルフロスホルダーの代表的実施例を示す三面図および断面図。
【考案を実施するための形態】
【０００８】
本考案のデンタルフロスホルダーは相互に可動である二つのパーツ、あるいはアッセンブリーにより構成される。図面の例ではこれらは（A）および（B）として図示されている。これらのパーツ・アッセンブリーは使用時の操作性の向上を図るために図面に示される例のようにヒンジ等（C）により連結される場合もある。この構成部分のいずれかにロール状となったフロス糸が交換ユニットとして取り付けられるために受け軸が設けられる（F）。F軸に取り付けられたフロス糸は使用時にその始端部が繰り出され、歯間清掃に適する形状・張力を保持するため、フロスホルダー本体固有の形状とそれを構成する固体物質固有の剛性とフロス糸と固形パーツの接触により生じる摩擦が利用される。図面に示される例においてはフロス糸は歯間清掃に適する形状を保持するためアーム部（D）にある溝（E）につけられ、さらにアーム先端から（Gに示される）グリップまで張架して使用される。しかる形状を保持した状態のフロス糸は、図面の例においてはロール本体はフロスホルダーのパーツAおよびBにより挟まれ、ロックされるが場合により（Iに示される）フロスホルダーのストッパー部分を利用してロール本体、あるいはロール軸もしくはそれらに固定されたパーツに係合あるいは嵌合等することによりロックされる。アーム部の溝（E）を通ったフロス糸は正面図の左端に図示されるアーム先端部からグリップ（G）まで張られて架けられ、この張架部分が歯間清掃に使用される。フロス糸の始端はグリップ（G）に挟まれ、ヒンジ部（C）を基点に使用者の握力による加圧操作によりフロス糸のロール部、始端部ともにかかる圧力とそれに伴い生じる摩擦により動かなくなるので使用時に必要な張力が保持される。フロス糸の使用済み部分は付属の（Hに示される）フロス糸カッターにより切り離されて処分される。
【実施例】
【０００９】
使用者は本考案のデンタルフロスホルダーを使用するにあたり、最初に図面の（B）として図示されているパーツの受け軸（F）にロール状に巻かれたフロス糸の軸を嵌めて取り付ける。フロス糸は使用時にその始端部が繰り出され、歯間清掃に適する形状・張力を保持するため、アーム部（D）にある溝（E）につけられ、更に正面図の左端に図示されるアーム先端部からグリップ（G）まで張られて架けられ、この張架部分が歯間清掃に使用される。しかる形状を保持した状態のフロス糸は、図面の例においてはロール本体はフロスホルダーのパーツAおよびBにより挟まれてロックされるか、あるいは（Iに示される）フロスホルダーのストッパー部分を利用してロール本体、あるいはロール軸もしくはそれらに固定されたパーツに係合や嵌合等することによりロックされる。同時にフロス糸の始端はグリップ（G）に挟まれ、ヒンジ部（C）を基点に使用者の握力によりかかる圧力とそれに伴い生じる摩擦により動かなくなるので使用時に必要な張力が保持される。フロス糸の使用済み部分は付属の（Hに示される）フロス糸カッターにより切り離されて処分される。以上の説明により使用される、図面に示されるような製品を製造・販売し、市場に提供することが実施の一例としてあげられる。
【産業上の利用可能性】
【００１０】
本考案は、歯間清掃に供されるデンタルフロスホルダーに関し、使用時のフロス糸の形状・張力の保持機能を有し、使用者が簡便な操作手順により使用できる扱い安さとコスト削減の可能性につながる構成パーツ数の削減を提案するものである。
【符号の説明】
【００１１】
A：  本体構成部
B：  本体構成部
C：  ヒンジ
D：  フロス糸保持用アーム
E：  フロス糸保持用溝
F：  フロス糸ロール受け軸
G：  フロス糸先端グリップ
H：  フロス糸カッター
I：   フロス糸ロール用ストッパー
【図１】
0003175637.tif 000003